(57)【要約】【課題】安全性と操作性とに勝れる引締機構を備えたバンドカップリングを得る。【解決手段】複数のリテーナ部片１７ａからなる環状のリテーナ１７と、該リテーナ１７の外周に取り付けられたバンド１８と、該バンド１８を引き締めるための引締機構１９とを有し、該引締機構１９が、上記バンド１８の第１端１８ａ側に起倒自在に取り付けられた蝶番ボルト２６と、この蝶番ボルト２６に移動自在なるように嵌合する係止金具３０と、上記蝶番ボルト２６に噛合して上記係止金具３０を移動させるナット２８と、上記バンド１８の第２端１８ｂ側に固定的に取り付けられたラッチ３２とを有し、バンド１８の引締時に、上記蝶番ボルト２６をラッチ３２の一対のラッチ部片３２ａ，３２ａ間に嵌合し、上記係止金具３２をこれらのラッチ部片３２ａ，３２ａに係止させた状態で上記ナット２８を締め込むようにする。【選択図】        図３
2004276979.tif 000002
【特許請求の範囲】
【請求項１】
結合用のフランジ部をそれぞれ有する容体と蓋体とを、互いに当接し合う上記両フランジ部の外周を挟持することによって相互に結合するバンドカップリングであって、
円弧状をした複数のリテーナ部片を環状に配置することにより形成され、内周に上記両フランジ部が嵌合する凹溝を備えたリテーナと、該リテーナの外周に該リテーナを取り巻くように取り付けられ、相対する第１端と第２端とを有するバンドと、該バンドを引き締めるための引締機構とを有し、
上記引締機構が、上記バンドの第１端側に起倒自在に取り付けられた蝶番ボルトと、この蝶番ボルトに沿って移動自在の係止金具と、上記蝶番ボルトに進退調節自在なるように噛合し、その進退調節によって上記係止金具を移動させるナットと、上記バンドの第２端側に固定的に取り付けられ、上記蝶番ボルトが嵌入可能な間隔で相対する一対のラッチ部片を有すると共に、バンドの引締時に上記係止金具がこれらのラッチ部片に係止するように構成されたラッチと、を有することを特徴とするバンドカップリング。
【請求項２】
上記係止金具が、上記蝶番ボルトに嵌合していて、その左右両側面に、上記蝶番ボルトの軸線と直交する方向に延出する係止用突起をそれぞれ有し、また、上記ラッチの一対のラッチ部片がそれぞれ、上記係止用突起が嵌合、係止する係止用凹部を有していて、この係止用凹部が、各ラッチ部片の後方側の端縁から前方側の端縁に向けて横向きに形成されていることを特徴とする請求項１に記載のバンドカップリング。
【請求項３】
上記ラッチの一対のラッチ部片に、上記蝶番ボルトを横切るように位置決めピンが取り付けられ、この位置決めピンと蝶番ボルトとの位置関係からバンドの引締度を検知するように構成されていることを特徴とする請求項１又は２に記載のバンドカップリング。
【発明の詳細な説明】
【０００１】
【発明の属する技術分野】
本発明は、圧力容器の容体と蓋体とを結合するの好適なバンドカップリングに関するものである。
【０００２】
【従来の技術】
図１には、圧力容器の使用例として、濾過装置が示されている。この濾過装置は、容体１１と蓋体１２とからなる圧力容器１０の内部にフィルターを収容し、このフィルターで液体や気体などの流体を濾過するもので、高圧下で使用されることが多い。このような圧力容器においては、容体１１と蓋体１２との結合にバンドカップリング１３が一般に使用されている。従来のバンドカップリング１３Ａは、図８及び図９に示すように、Ｖ字形の断面形状を有する金属製の環状リテーナ１と、このリテーナ１の外周に取り付けられた金属製の可撓性バンド２と、このバンド２を引き締めるための引締機構３とからなるもので、互いに当接する容体１１と蓋体１２とのフランジ部１１ａ，１２ａの外周を上記リテーナ１に挟持させ、引締機構３でバンド２を引き締めることによってこれらの容体１１と蓋体１２とを結合するものである（例えば特許文献１参照）。
【０００３】
このようなバンドカップリング１３Ａは、着脱作業が容易で取り扱い易いという利点を持っているが、上記引締機構３をより安全で操作の行い易い構成にすることが要求されている。即ち、上記従来の引締機構３は、図１０〜図１２に示すように、上記バンド２の一端に進退自在に取り付けられたＴ形ボルト４と、バンド２の他端に起倒自在に取り付けられたラッチ５とを有していて、上記Ｔ形ボルト４の先端の係止軸部４ａをラッチ５の係止壁５ａに係止させ、その状態でナット６を回転させてＴ形ボルト４を後退させることにより、上記バンド２を引き締めるものである。
【０００４】
ところが、上記ラッチ５とＴ形ボルト４とを係止させる機構が、起倒自在なるように構成された該ラッチ５の係止壁５ａの中央下部に凹部５ｂを設け、該ラッチ５をＴ形ボルト４の上に倒すことによって上記凹部５ｂにＴ形ボルト４を嵌合させ、それによって該Ｔ形ボルト４の先端の係止軸部４ａを上記係止壁５ａに係止させる構成であるため、上記ラッチ５が異物との接触等によって不意に起立させられた場合、該ラッチ５とＴ形ボルト４とが外れるおそれがある。
【０００５】
【特許文献１】
実公平７−２３４１５号公報（段落３−４、第１図、第３図）
【０００６】
【発明が解決しようとする課題】
本発明の技術的課題は、安全性と操作性とに勝れる引締機構を備えたバンドカップリングを提供することにある。
【０００７】
【課題を解決するための手段】
上記課題を解決するため、本発明によれば、結合用のフランジ部をそれぞれ有する容体と蓋体とを、互いに当接し合う上記両フランジ部の外周を挟持することによって相互に結合するバンドカップリングであって、円弧状をした複数のリテーナ部片を環状に配置することにより形成され、内周に上記両フランジ部が嵌合する凹溝を備えたリテーナと、該リテーナの外周に該リテーナを取り巻くように取り付けられ、相対する第１端と第２端とを有するバンドと、該バンドを引き締めるための引締機構とを有し、また、上記引締機構が、上記バンドの第１端側に起倒自在に取り付けられた蝶番ボルトと、この蝶番ボルトに沿って移動自在の係止金具と、上記蝶番ボルトに進退調節自在なるように噛合し、その進退調節によって上記係止金具を移動させるナットと、上記バンドの第２端側に固定的に取り付けられ、上記蝶番ボルトが嵌入可能な間隔で相対する一対のラッチ部片を有すると共に、バンドの引締時に上記係止金具がこれらのラッチ部片に係止するように構成されたラッチとを有するバンドカップリングが提供される。
【０００８】
上記構成を有する本発明のバンドカップリングで圧力容器の容体と蓋体とを結合する場合は、上記容体と蓋体との互いに当接するフランジ部の外周にリテーナの凹溝を嵌合させ、引締機構によりバンドを引き締めてリテーナで両フランジ部を強圧することにより、これらの容体と蓋体とを相互に結合する。このとき、上記引締機構は次のように操作される。即ち、起立状態にある蝶番ボルトに沿ってナットを後退させることにより、係止金具を該蝶番ボルトの先端寄りの位置に十分移動させておき、その状態で該蝶番ボルトをラッチの一対のラッチ部片の間に倒伏させ、上記係止金具をこれらのラッチ部片に係止させる。そして、上記ナットを回して蝶番ボルト上を前進させることにより、ラッチに係止した上記係止金具がこのナットに押されて一緒に前進するため、バンドの両端が互いに引き寄せられ、該バンドが引き締められることになる。
【０００９】
このように本発明によれば、バンドの端部にラッチを固定的に取り付けて、このラッチに蝶番ボルト上の係止金具を係止させるようにしたので、従来品のように該ラッチが異物との接触により不意に動いて係止金具から外れるようなことがなく、ラッチと係止金具との係止が確実になって安全性が高い。また、上記蝶番ボルトをラッチの一対のラッチ部片の間に倒し込むことにより、この蝶番ボルトに保持された係止金具が両側のラッチ部片に係止するように構成しているので、係止金具とラッチとを係止させる操作が容易で、締め付け機構の構成も簡単である。
【００１０】
本発明の好ましい具体的な構成態様によれば、上記係止金具が、上記蝶番ボルトに嵌合していて、その左右両側面に、上記蝶番ボルトの軸線と直交する方向に延出する係止用突起をそれぞれ有し、また、上記ラッチの一対のラッチ部片がそれぞれ、上記係止用突起が嵌合、係止する係止用凹部を有していて、この係止用凹部が、各ラッチ部片の後方側の端縁から前方側の端縁に向けて横向きに形成されている。
【００１１】
このように構成することにより、締付時に蝶番ボルトが起立方向に回動して係止金具がラッチから外れることがなく、これらの係止金具とラッチとの係止がより確実となる。
【００１２】
また、本発明においては、上記ラッチの一対のラッチ部片に、上記蝶番ボルトを横切るように位置決めピンが取り付けられ、この位置決めピンと蝶番ボルトとの位置関係から引締度を検知するように構成されている。
【００１３】
【発明の実施の形態】
図１は、円筒形をした圧力容器１０の容体１１と蓋体１２とを、本発明に係るバンドカップリング１３で相互に結合した状態を示すものである。この圧力容器１０は、内部にフィルターを備え、入口１４から流入する流体をこのフィルターで濾過して出口１５から流出させるもので、濾過装置として使用されるものである。しかし、圧力容器１０の使用例はこのような濾過装置に限定されない。
【００１４】
上記容体１１及び蓋体１２は、図２から分かるように、それらの端部に互いに当接するフランジ部１１ａ，１２ａ有し、これらのフランジ部１１ａ，１２ａを上記バンドカップリング１３で外周側から強圧状態に挟持することにより、相互に結合されている。図中１６は、両フランジ部１１ａ，１２ａの間に介在するシール部材である。
【００１５】
上記バンドカップリング１３は、図３に示すように、円環状をした金属製のリテーナ１７と、このリテーナ１７の外周に取り付けられた金属製の可撓性バンド１８と、このバンド１８を引き締めるための引締機構１９とを有している。
【００１６】
上記リテーナ１７は、円弧状をした複数（好ましくは２つ又は３つ）のリテーナ部片１７ａに分かれていて、これらのリテーナ部片１７ａを、相互間に若干の間隔を置いて環状に配列することにより、径方向に変形自在なるように形成されている。これらのリテーナ部片１７ａは、図２に示すように、平坦化された底部２１を有する略Ｖ字形の断面形状に形成されたもので、Ｖ字の開口側を内向きにして配置されることにより、上記リテーナ１７の内周に、上記両フランジ部１１ａ，１２ａが嵌合する凹溝２２が形成されている。上記リテーナ部片１７ａは、ロフトワックス法やロールフォーミング法等により、従来のものよりかなり肉厚に形成され、強度が高められている。
【００１７】
また、上記バンド１８は、上記リテーナ部片１７ａの幅とほぼ同じ幅の弾性ある金属帯板により形成されていて、各リテーナ部片１７ａの平らな底部２１の外面に溶接等の手段で固着され、一組の隣接するリテーナ部片１７ａ，１７ａの端部同士が間隔をおいて相対する位置に、互いに相対する第１端１８ａと第２端１８ｂとを有している。
【００１８】
更に、上記バンド１８を引き締めるための引締機構１９は、以下のように構成されている。即ち、図４〜図７から分かるように、上記バンド１８の第１端１８ａ側には、軸受金具２５によって蝶番ボルト２６が起倒自在に取り付けられている。上記軸受金具２５は、バンド１８の幅方向両端部に位置する左右一対の軸受部片２５ａ，２５ａと、これらの軸受部片２５ａ，２５ａの底部同士を連結する連結部片２５ｂとを備えていて、この連結部片２５ｂを、折り返した上記バンド１８の先端部に抱持させることにより、該バンド１８の第１端１８ａに固定的に取り付けられている。また、上記一対の軸受部片２５ａ，２５ａ間には、バンドカップリング１３の中心軸線Ｌ（図３参照）と平行な支軸２７が掛け渡され、この支軸２７に上記蝶番ボルト２６の基端部が支持されており、これによって上記蝶番ボルト２６が、この支軸２７を中心にして上記中心軸線Ｌと直交する面内で起倒自在となっている。
【００１９】
上記蝶番ボルト２６は、自由端である先端寄りの部分にねじ２６ａが切られていて、このねじ２６ａの部分にナット２８が、該蝶番ボルト２６に沿って進退調節自在なるように噛合している。また、上記蝶番ボルト２６には、上記ナット２８の噛合位置よりも基端部側に寄った位置に、係止金具３０が該蝶番ボルト２６の軸線方向に移動自在なるように嵌合し、この係止金具３０の側面に上記ナット２８の先端が当接している。従って、このナット２８を回して蝶番ボルト２６の基端部側に向けて前進させると、このナット２８に押されて上記係止金具３０も前進し、上記ナット２８を逆に回して後退させると、このナット２８に当接する位置まで上記係止金具３０も後退できるようになっている。
【００２０】
上記係止金具３０は、短円柱状をした金具本体３０ａと、この金具本体３０ａの左右両側面からそれぞれ上記蝶番ボルト２６の軸線と直交する方向に延出する短円柱状をした係止用突起３０ｂ，３０ｂとを有するもので、上記金具本体３０ａは、円柱の軸線が蝶番ボルト２６の軸線と直交する向きに配置され、該金具本体３０ａの軸線と直交する方向に設けられた孔内を上記蝶番ボルト２６が貫通している。しかし、上記金具本体３０ａは、矩形形状であっても良い。
【００２１】
一方、上記バンド１８の第２端１８ｂ側には、該バンド１８の引締時に上記係止金具３０が係止するラッチ３２が固定的に取り付けられている。このラッチ３２は、バンド１８の幅方向両端部に位置する左右一対のラッチ部片３２ａ，３２ａと、これらのラッチ部片３２ａ，３２ａの底部同士を連結する連結部片３２ｂとによって、全体形状が略コ字形に形成され、上記連結部片３２ｂを折り返した上記バンド１８の先端部に抱持させることにより、該バンド１８の第２端１８ｂに固定的に取り付けられている。
【００２２】
上記一対のラッチ部片３２ａ，３２ａは、それぞれ縦向きのプレート状をしていて、それらの対向間隔は、上記蝶番ボルト２６の直径及び上記係止金具３０の金具本体３０ａの横幅よりは大きいが、左右の係止用突起３０ｂ，３０ｂの先端間距離よりは小さい。従って、上記蝶番ボルト２６を起倒させたとき、この蝶番ボルト２６と上記金具本体３０ａとは両ラッチ部片３２ａ，３２ａの間に上方から出入りできるが、係止用突起３０ｂ，３０ｂは出入りできない。そして、上記各ラッチ部片３２ａ，３２ａには、バンド１８の引締時に上記係止用突起３０ｂが嵌合、係止する係止用凹部３２ｃが、各ラッチ部片３２ａ，３２ａの後方側の端縁から前方側の端縁に向けて横向きに形成されている。この係止用凹部３２ｃの深さは、上記係止用突起３０ｂ全体が嵌合できるように、この係止用突起３０ｂの直径と同程度かそれ以上であることが望ましい。
【００２３】
また、上記ラッチ３２の一対のラッチ部片３２ａ，３２ａには、上記蝶番ボルト２６の上を横切るように位置決めピン３５が、一方のラッチ部片３２ａ，３２ａ側から取付孔３６内に挿通することにより着脱自在に取り付けられ、この位置決めピン３５と蝶番ボルト２６との位置関係からバンド１８の引締度を検知できるようになっている。このため上記蝶番ボルト２６には、位置決めピン３５との対応位置に目印のための小径部２６ｂが一定長さ形成され、この小径部２６ｂ上のどの位置に位置決めピン３５があるかによって適正な引締具合が分かるようになっている。この場合、上記位置決めピン３５を小径部２６ｂ内において蝶番ボルト２６に近接するように取り付けておき、バンド１８の引き締めに伴う蝶番ボルト２６と位置決めピン３５との相対的な移動によって該位置決めピン３５が蝶番ボルト２６の基端部寄りの段部２６ｃに係止したとき、その位置が最適な締付位置となるようにしても良い。
【００２４】
なお、図示した例では、上記位置決めピン３５が蝶番ボルト２６の上を横切るように取り付けられているが、該蝶番ボルト２６の下を横切るように取り付けても良い。また、上記蝶番ボルト２６に目印として上記小径部２６ｂが形成されているが、この小径部２６ｂの代わりに目盛りを設けても良い。
【００２５】
上記構成を有する本発明のバンドカップリング１３で圧力容器１０の容体１１と蓋体１２とを結合する場合は、バンド１８の両端を互いに分離した状態で該バンド１８を、隣接するリテーナ部片１７ａ，１７ａの間の位置で外側に折り曲げることにより、バンドカップリング１３を十分開放する。そして図２に示すように、リテーナ１７の凹溝２２を上記容体１１と蓋体１２との互いに当接するフランジ部１１ａ，１２ａの外周に嵌合させることにより、該バンドカップリング１３を圧力容器１０の外周に取り付け、そのあと、上記引締機構１９でバンド１８を引き締めることにより、上記リテーナ１７で両フランジ部１１ａ，１２ａを強圧してこれらの容体１１と蓋体１２とを相互に結合する。このとき、上記引締機構１９は次のように操作される。
【００２６】
即ち、上記蝶番ボルト２６の先端側に向けてナット２８を後退させることにより、係止金具３０を該蝶番ボルト２６の先端寄りの位置に十分移動させておき、その状態で該蝶番ボルト２６をラッチ３２の一対のラッチ部片３２ａ，３２ａの間に倒伏させ、上記係止金具３０の両側面の係止用突起３０ｂ，３０ｂを両ラッチ部片３２ａ，３２ａの係止用凹部３２ｃ，３２ｃ内に嵌合させて係止させる。このとき、位置決めピン３５は予め取り外しておき、上記蝶番ボルト２６をラッチ部片３２ａ，３２ａの間に倒し込んだあとで取り付けるようにする。
【００２７】
次に、上記ナット２８を回して蝶番ボルト２６上を前進させると、ラッチ３２に係止した上記係止金具３０がこのナット２８に押されて一緒に前進するため、これらの係止金具３０とラッチ３２とを介してバンド１８の両端１８ａ，１８ｂが互いに引き寄せられ、該バンド１８が引き締められることになる。バンド１８の最適な引締位置は、上記位置決めピン３５と蝶番ボルト２６の小径部２６ｂとの位置関係で知ることができ、それらが最適な位置関係になった時点でナット２８による引き締め操作をやめれば良い。
【００２８】
かくして上記容体１１と蓋体１２とが結合されるが、このとき、上記バンドカップリング１３は、上記ラッチ３２をバンド１８の端部に固定的に取り付け、このラッチ３２に蝶番ボルト２６上の係止金具３０を係止させるようにしているので、従来品のように上記ラッチ３２が異物との接触により不意に動いて係止金具３０から外れるようなことがなく、該ラッチ３２と係止金具３０との係止が確実になって安全性が高い。また、上記蝶番ボルト２６をラッチ３２の一対のラッチ部片３２ａ，３２ａの間に倒し込むことにより、この蝶番ボルト２６に保持された係止金具３０の係止用突起３０ｂ，３０ｂが、両側のラッチ部片３２ａ，３２ａの係止用凹部３２ｃ，３２ｃに係止するように構成しているので、係止金具３０とラッチ３２とを係止させる操作が容易で、引締機構９の構成も簡単である。特に、バンド１８の締付後に上記蝶番ボルト２６が起立方向に回動して係止金具３０がラッチ３２から外れることがないため、これらの係止金具３０とラッチ３２との係止がより確実となる。
【００２９】
上記バンドカップリング１３を取り外して蓋体１２を開放するときは、上記位置決めピン３５を取り外したあと、上記ナット２８を回して蝶番ボルト２６の先端側に向けて後退させることにより、上記係止金具３０を、係止用突起３０ｂがラッチ３２の係止用凹部３２ｃから外れる位置まで後退させる。そして、上記蝶番ボルト２６を起立させて係止金具３０とラッチ３２とを完全に分離させた状態でバンドカップリング１３を取り外し、上記蓋体１２を開放する。
【００３０】
なお、図示した実施例では、リテーナ１７がＶ字形の断面形状をしているが、このような断面形状のものに限定されるものではなく、例えば、Ｗ字形の断面形状を有するものであっても良い。
【００３１】
【発明の効果】
以上に詳述したように本発明によれば、引締操作を行い易くかつ安全性にも勝れる引締機構を備えたバンドカップリングを得ることができる。
【図面の簡単な説明】
【図１】圧力容器の容体と蓋体とを本発明に係るバンドカップリングで相互に結合した状態を示す側面図である
【図２】図１の要部拡大断面図である。
【図３】バンドカップリングの平面図である。
【図４】図３の要部拡大図である。
【図５】図４の縦断面図である。
【図６】図４の横断面図である。
【図７】図４のＡ−Ａ線の位置での断面図である。
【図８】従来のバンドカップリングで圧力容器の容体と蓋体とを結合した状態を示す要部断面図である。
【図９】従来のバンドカップリングの平面図である。
【図１０】図９の要部拡大平面図である。
【図１１】図１０の縦断面図である。
【図１２】図１０の右側面図である。
【符号の説明】
１１      容体
１２      蓋体
１１ａ，１２ａ      フランジ部
１３      バンドカップリング
１７      リテーナ
１７ａ      リテーナ部片
１８      バンド
１８ａ      第１端
１８ｂ      第２端
１９      引締機構
２２      凹溝
２６      蝶番ボルト
２８      ナット
３０      係止金具
３０ｂ      係止用突起
３２      ラッチ
３２ａ      ラッチ部片
３２ｃ      係止用凹部
３５      位置決めピン
【図１】
2004276979.tif 000003
【図２】
2004276979.tif 000004
【図３】
2004276979.tif 000005
【図４】
2004276979.tif 000006
【図５】
2004276979.tif 000007
【図６】
2004276979.tif 000008
【図７】
2004276979.tif 000009
【図８】
2004276979.tif 000010
【図９】
2004276979.tif 000011
【図１０】
2004276979.tif 000012
【図１１】
2004276979.tif 000013
【図１２】
2004276979.tif 000014